(57)【要約】通信システム内で動作するターミナルの位置を推定する方法であって、通信システムは、重畳するカバレージエリアを有する少なくとも２つのネットワークを有し、各ネットワークは、ターミナルの位置を推定する少なくとも１つの方法をサポートし、且つターミナルは、それらネットワークの第１ネットワークと通信中であり、前記方法は、どちらのネットワークがターミナルの位置のより正確な推定を形成し易いか評価し、それが前記第１のネットワークである場合には、その第１のネットワークによりターミナルの位置を推定し、そしてそれが第２のネットワークである場合には、ターミナルをその第２のネットワークへハンドオーバーして、その第２のネットワークによりターミナルの位置を推定する、という段階を含む。
2005521350.tif 000002
【特許請求の範囲】
【請求項１】
通信システム内で動作するターミナルの位置を推定する方法であって、該通信システムは、重畳するカバレージエリアを有する少なくとも２つのネットワークを有し、各ネットワークは、ターミナルの位置を推定する少なくとも１つの方法をサポートし、且つ前記ターミナルは、それらネットワークの第１ネットワークと通信中である方法において、
前記ネットワークのどちらが前記ターミナルの位置のより正確な推定を形成し易いか評価し、
それが前記第１のネットワークである場合には、その第１のネットワークにより前記ターミナルの位置を推定し、そして
それが第２のネットワークである場合には、前記ターミナルをその第２のネットワークへハンドオーバーしてその第２のネットワークにより前記ターミナルの位置を推定する、
という段階を備えた方法。
【請求項２】
前記第１ネットワークによりサポートされる、ターミナルの位置を推定する前記少なくとも１つの方法は、前記第２ネットワークによりサポートされるそのような各方法とは異なる請求項１に記載の方法。
【請求項３】
前記第１ネットワークは、第１規格に基づいて動作でき、前記第２ネットワークは、前記第１規格とは異なる第２規格に基づいて動作できる請求項１又は２に記載の方法。
【請求項４】
前記第１ネットワークは、前記第２規格との逆方向適合性を与える規格に基づいて動作できる請求項３に記載の方法。
【請求項５】
前記第１規格は、ＵＭＴＳ又はそこから派生したものである請求項３又は４に記載の方法。
【請求項６】
前記第２規格は、ＧＳＭ又はそこから派生したものである請求項３ないし５のいずれかに記載の方法。
【請求項７】
前記ターミナルは、前記第１及び第２ネットワークの無線アクセスサブシステムと無線で通信することができ、そして各ネットワークは、その各々の無線アクセスサブシステムにより前記ターミナルの位置を推定するように構成される請求項１ないし６のいずれかに記載の方法。
【請求項８】
前記評価段階は、前記第１ネットワークにより実行される請求項１ないし７のいずれかに記載の方法。
【請求項９】
前記方法は、前記ターミナルにより前記第１ネットワークを経て非常コールを開始する段階を備え、そして前記ターミナルを前記第２のネットワークへハンドオーバーする前記段階は、前記コールを前記第２のネットワークへハンドオーバーすることを含む請求項１ないし８のいずれかに記載の方法。
【請求項１０】
前記方法は、前記第１ネットワークが前記ターミナルの位置をプリセット裕度内で推定できるかどうか決定し、もしそうであれば、前記ターミナルの位置を前記第１ネットワークにより推定するという段階を含む請求項１ないし９のいずれかに記載の方法。
【請求項１１】
動作中のターミナルの位置を推定できる通信システムであって、該通信システムは、重畳するカバレージエリアを有する少なくとも２つのネットワークを備え、各ネットワークは、前記ターミナルの位置を推定する少なくとも１つの方法をサポートし、且つ前記ターミナルは、それらネットワークの第１ネットワークと通信中である通信システムにおいて、前記ネットワークの１つは、どちらの前記ネットワークが前記ターミナルの位置のより正確な推定を形成し易いか評価し、それが前記第１のネットワークである場合には、その第１のネットワークにより前記ターミナルの位置を推定させ、そしてそれが第２のネットワークである場合には、前記ターミナルをその第２のネットワークへハンドオーバーさせて、その第２のネットワークにより前記ターミナルの位置を推定させるように構成された通信システム。
【請求項１２】
通信システム内で動作するターミナルの位置を推定する方法であって、該通信システムは、重畳するカバレージエリアを有する少なくとも２つのネットワークを有し、各ネットワークは、前記ターミナルの位置を推定する少なくとも１つの方法をサポートし、且つ前記ターミナルは、それらネットワークの第１ネットワークと通信中である方法において、
前記ターミナルの位置の推定を位置取り扱いユニットへ送信する要求を受け取り、
どちらのネットワークが前記位置取り扱いユニットに前記推定を最良に与えることができるか評価し、
それが前記第１のネットワークである場合には、その第１のネットワークにより前記ターミナルの位置を推定し、そして
それが第２のネットワークである場合には、前記ターミナルをその第２のネットワークへハンドオーバーしてその第２のネットワークにより前記ターミナルの位置を推定する、
という段階を備えた方法。
【発明の詳細な説明】
【技術分野】
【０００１】
本発明は、通信システムにおけるハンドオーバーに係り、より詳細には、このようなシステムで動作する装置のポジショニングを可能にする上で助けとなるハンドオーバーに係る。
【背景技術】
【０００２】
ポジショニング即ち位置決めサービス（ＬＣＳ）は、移動電話システムのような通信システムの重要な特徴になりつつある。これらのサービスは、ユーザターミナル又はユーザ装置（ＵＥ）の位置を推定できるようにする。位置を知ることは、ＵＥのユーザにとって関心のあることで、ユーザの位置に基づいてユーザに付加的なサービスをオファーするのにも使用できる。１つの重要な効果は、ユーザが自分のＵＥを使用して非常サービスへコールを行う場合に、ユーザの位置を知ることで、非常サービスが迅速に救援活動を行う上で役に立つ。
【０００３】
ＵＥの位置を推定できる方法は多数あるが、１つの典型的な方法では、ＵＥと多数のベースステーションとの間の通信に対して時間差が計算される。この時間差を使用して、ＵＥと各ベースステーションとの間の距離を推定することができ、次いで、ベースステーションの位置が分かっているので、ＵＥの位置を三角法で求めることができる。
【０００４】
このようなサービスを提供できるシステムの形式の一例は、移動電話システム、例えば、セルラー電話システムである。
提案された３Ｇ（第三世代）又はＵＭＴＳ（ユニバーサル移動電話システム）システムを実施する際に、多数のセルラーネットワークシステムによりＬＣＳがサポートされることが計画される。例えば、ＬＣＳのための３ＧＰＰ規格に基づいて動作する古いＧＳＭ（移動通信用のグローバルシステム）規格のネットワークや、これも３ＧＰＰにより規格化された全３Ｇ／ＵＭＴＳ規格のネットワークが含まれる。
【０００５】
古いＧＳＭネットワークとＵＭＴＳネットワークが完全に又は部分的に重畳する領域においてユーザが通信するときには、ネットワーク及びユーザのターミナルは、ターミナルが一方のネットワークでの通信から別のネットワークでの通信へと切り換わり得るように動作できることが意図される。例えば、ネットワークのカバレージが部分的に重畳する状況では、ユーザが、一方のネットワークでカバーされる位置から、別のネットワークでカバーされる隣接位置へと移動することがある。このような場合、ユーザのターミナルは、第１のネットワークから第２のネットワークへハンドオーバーされ、ユーザが通信を継続できることが意図される。ネットワークが完全に重畳するときでも、ユーザのターミナルは、例えば、容量の制約を満足するために、一方のネットワークから他方のネットワークへハンドオーバーすることができる。
【０００６】
異なる規格のネットワークのＬＣＳ能力間には相違があることが予想される。例えば、ターミナルの位置を決定するためにサポートする方法が異なる。その結果、たとえ規格が共通に設定されても、ネットワーク間のＬＣＳ能力に相違が生じる。これらの相違により、特定の目的でＬＣＳを与えるのに、一方のネットワークの方が他方のネットワークより良好なことがある。従って、２つ以上の相互動作システムからのカバレージが重畳する位置にユーザターミナルがあり、そしてユーザを位置決めする必要が生じたときには、カバレージを与えるネットワークの特定の１つがその状況においてポジショニング要求を最良に満足する状態となる。しかしながら、ユーザを位置決めする必要が生じたときに、ユーザのターミナルが、ポジショニング要求を最良に満足できる好ましいネットワーク以外のネットワークに接続されることがある。
【０００７】
又、ユーザターミナルの能力により、一方ではなく他方のネットワークを使用してその位置を決定するのがより好ましい状況もある。例えば、ターミナルは、ＧＳＭではＥ−ＯＴＤ方法をサポートするが、ＷＣＤＭＡに対して規格化されたポジショニング方法（例えば、ＩＰＤＬ−ＯＴＤＯＡ及びＡ−ＧＰＳ）はどれもサポートしないことがある。この状況は、非常に起き易いと考えられる。というのは、ＧＳＭの位置サービス規格は、ＵＭＴＳの規格の前に完成されており、従って、ＧＳＭ方法をサポートするターミナルが最初に製造されることが予想されるからである。
【０００８】
米国ＦＣＣフェーズIIマンデートにより規定された現行の要求は、ユーザのターミナルをポジショニングするための厳密な要求を規定している。１９９９年９月１５日に採用された、エンハンスト９１１エマージェンシー・コーリング・システム（ＣＣドケット番号９４−１０２ＲＭ−８１４３）との適合性を確保するためのコミッティーのルールの改訂に関するＦＣＣの第３レポート及びオーダー（ＦＣＣ９９−２４５）は、次のように述べている。「フェーズII位置精度及び信頼性に関して次の改訂規格を採用する：ネットワークベースの解決策の場合、コールの６７％について１００メーター、コールの９５％について３００メーター；ハンドセットベースの解決策の場合、コールの６７％について５０メーター、コールの９５％について１５０メーター」。これらの要求を満たすには、ポジショニングシステムから非常に高い性能レベルが要求される。
【発明の開示】
【発明が解決しようとする課題】
【０００９】
そこで、ターミナルの位置を最良に推定できるネットワーク以外のネットワークにおいて通信するときにターミナルのポジショニングを改善できる手段が要望される。
【課題を解決するための手段】
【００１０】
本発明の１つの態様によれば、通信システム内で動作するターミナルの位置を推定する方法であって、通信システムは、重畳するカバレージエリアを有する少なくとも２つのネットワークを有し、各ネットワークは、ターミナルの位置を推定する少なくとも１つの方法をサポートし、且つターミナルは、それらネットワークの第１ネットワークと通信中である方法において、どちらのネットワークがターミナルの位置のより正確な推定を形成し易いか評価し、それが前記第１のネットワークである場合には、その第１のネットワークによりターミナルの位置を推定し、そしてそれが第２のネットワークである場合には、ターミナルをその第２のネットワークへハンドオーバーして、その第２のネットワークによりターミナルの位置を推定する、という段階を備えた方法が提供される。
【００１１】
本発明の第２の態様によれば、動作中のターミナルの位置を推定できる通信システムであって、該通信システムは、重畳するカバレージエリアを有する少なくとも２つのネットワークを備え、各ネットワークは、ターミナルの位置を推定する少なくとも１つの方法をサポートし、且つターミナルは、それらネットワークの第１ネットワークと通信中である通信システムにおいて、前記ネットワークの１つは、どちらのネットワークがターミナルの位置のより正確な推定を形成し易いか評価し、それが前記第１のネットワークである場合には、その第１のネットワークによりターミナルの位置を推定させ、そしてそれが第２のネットワークである場合には、ターミナルをその第２のネットワークへハンドオーバーさせて、その第２のネットワークによりターミナルの位置を推定させるように構成された通信システムが提供される。
【００１２】
本発明の第３の態様によれば、通信システム内で動作するターミナルの位置を推定する方法であって、通信システムは、重畳するカバレージエリアを有する少なくとも２つのネットワークを有し、各ネットワークは、ターミナルの位置を推定する少なくとも１つの方法をサポートし、且つターミナルは、それらネットワークの第１ネットワークと通信中である方法において、ターミナルの位置の推定を位置取り扱いユニットへ送信する要求を受け取り、どちらのネットワークが前記位置取り扱いユニットに前記推定を最良に与えることができるか評価し、それが前記第１のネットワークである場合には、その第１のネットワークによりターミナルの位置を推定し、そしてそれが第２のネットワークである場合には、ターミナルをその第２のネットワークへハンドオーバーして、その第２のネットワークによりターミナルの位置を推定する、という段階を備えた方法が提供される。次いで、ポジショニングを実行したネットワークが前記推定を位置取り扱いユニットへ送信することができる。位置取り扱いユニットは、一方又は両方のネットワークと、非常コール取り扱いセンターとの間のインターフェイスでよい。
【００１３】
第１ネットワークによりサポートされるターミナルの位置を推定する少なくとも１つの方法は、第２ネットワークによりサポートされるそのような各方法と異なるのが好ましい。或いは又、ネットワークは、１つ以上の方法（おそらく全ての方法）を共通に有してもよく、この場合にも、本発明は、例えば、ベースステーションの密度により異なるネットワークにおいて異なる精度レベルが達成できるので、依然として有益である。適当な方法は、例えば、Ｅ−ＯＴＤ、ＩＰＤＬ−ＯＴＤＯＡ及びＡ−ＧＰＳや、以下に述べる他の方法も含む。各ネットワークに使用される方法は、各ネットワークの無線ネットワークサブシステムを使用してターミナルの位置を推定する少なくとも１つの方法を含むのが好ましい。このような方法では、ターミナルは、ターミナルと無線サブシステムのステーションとの間の無線送信の時間差を測定することにより位置決めされるのが好ましい。ターミナルの位置の前記推定は、このような手段で行なわれるのが好ましい。
【００１４】
第１ネットワークは、第１規格に基づいて動作でき、そして第２ネットワークは、第１規格とは異なる第２規格に基づいて動作できるのが好ましい。或いは又、ネットワークは、同じ形式のものでもよい。
第１ネットワークは、第２規格との逆方向適合性又は別の形式の相互動作性を与える規格に基づいて動作できるのが最も適当である。
【００１５】
規格の一方又は両方は、ＵＭＴＳ又はそこから派生したものでよい。規格の一方又は両方は、ＧＳＭ又はそこから派生したものでよい。１つの適当な実施形態では、第１規格がＵＭＴＳ又はそこから派生したものであり、そして第２規格がＧＳＭ又はそこから派生したものでよい。両方の規格がセルラー無線規格でよいが、他の構成も考えられ、例えば、一方のネットワークが無線セルラーネットワークであり、そして他方がＷＬＡＮ（ワイヤレスローカルエリアネットワーク）ネットワークでもよい。
【００１６】
好ましくは、ターミナルは、第１及び第２ネットワークの無線アクセスサブシステムと無線で通信することができ、そして各ネットワークは、その各々の無線アクセスサブシステムによりターミナルの位置を推定するように構成される。
前記評価段階は、第１ネットワークにより実行でき、好ましくは、第１ネットワークの無線アクセスサブシステムの要素により実行でき、そして最も好ましくは、そのサブシステムのコントローラにより実行できる。
【００１７】
好ましくは、前記方法は、ターミナルにより第１ネットワークを経て非常コールを開始する段階を備え、そしてターミナルを第２のネットワークへハンドオーバーする前記段階は、コールを第２のネットワークへハンドオーバーすることを含む。このようなコールの開始に応答して、いずれかの通信システム（例えば、ＭＳＣ）が、そのコールを開始したターミナルの位置を推定する要求を発生できる。この要求は、そのコールが開始されたネットワークへ送信される。その要求に応答して前記評価段階が実行される。或いは又、その要求に応答して他の段階が実行されてもよく、そしてこれら他の段階の１つ以上の結果に応答して前記評価段階が実行されてもよい。例えば、前記要求に応答して、第１ネットワークがターミナルの位置をプリセット裕度内で推定できるかどうか決定する段階が実行されてもよい。プリセット裕度は、指定された裕度又は要求された裕度でよい。もしそうであれば、ターミナルの位置が第１ネットワークにより推定される。さもなければ、前記評価段階が実行されるのが好ましい。
【００１８】
ターミナルのハンドオーバーは、ターミナルとの即時通信及びターミナルの制御をあるネットワークから別のネットワークへ転送することを含むのが適当である。ハンドオーバーが行なわれるときにターミナルへの又はターミナルからのコールが進行中である場合には、そのコールがハンドオーバー中に維持されそしてハンドオーバー後にターゲットネットワークを経てリルートされるのが好ましい。
【００１９】
ターミナルは、１つ以上のポジショニング方法をサポートしてもよい。又、ターミナルは、第１ネットワークと共通のポジショニング方法をサポートしなくてもよい。
第１及び第２ネットワークの役割は、逆転されてもよい。３つ以上のネットワークがあってもよい。
【００２０】
ポジショニング段階が完了した後に、ターミナルは、第１ネットワークへハンドオーバーすることができる。これは、第２ネットワークによって開始することができる。第１ネットワークへのターミナルのハンドオーバーを開始する際に、第２ネットワークは、ターミナルが第１ネットワークへハンドオーバーされるところの条件の制限を要求するメッセージを第１ネットワークに送信することができる。この制限は、第１ネットワークへのこのようなハンドオーバーを、設定時間が経過するまで又は第２ネットワークがターミナルの位置を推定するまで行ってはならないという制限でよい。
【発明を実施するための最良の形態】
【００２１】
以下、添付図面を参照して、本発明を一例として詳細に説明する。
図１のシステムにおいて、ユーザターミナルをポジショニングする必要があるときに、ユーザターミナルが一方のネットワークで動作しているが、そのポジショニングオペレーションをより良好に満足できる別の重畳するネットワークがあると決定された場合には、ユーザターミナルがその別のネットワークへハンドオーバーされ、そしてユーザターミナルの位置がそのネットワークにより推定される。次いで、もし適当であれば、ポジショニングが完了した後に、ユーザの接続を、それが最初に接続されていたネットワークに転送して戻すことができる。
【００２２】
以下の説明では、非常コール中のターミナルのポジショニングについて述べる。しかしながら、これは、ポジショニングを利用できる状態の一例に過ぎず、本発明は、非常コールでの使用に限定されるものではない。
【００２３】
図１は、ターミナルに最初にサービスしているネットワーク（「最初のネットワーク」）では満足できないポジショニング要求によりトリガーされるシステム間ハンドオーバーを実行し、そして別のネットワーク（「ターゲットネットワーク」）においてその後にポジショニングするための手順を示す。
【００２４】
図１は、２つの形式のセルラー電話ネットワーク、即ちＵＭＴＳ  ＲＡＮ（無線アクセスネットワーク）２０及びＧＳＭ  ＢＳＳ（ベースステーションサブシステム）２１の無線アクセスサブシステムを含むシステムを示している。この無線アクセスサブシステムは、共通のＭＳＣ（移動交換センター）２２によりサービスされる。この移動交換センターは、ＧＭＬＣ（ゲートウェイ移動位置センター）２３にリンクされ、これは、リンクされたネットワークで動作するユーザ装置２４のような移動ターミナルの位置を決定することができる。ここに示す例では、ＭＳＣ及びＧＭＬＣは、ＰＳＡＰ（公衆安全アクセスポイント）と称される非常コールセンター２５にリンクされる。
【００２５】
ここに示す例は、非常コールに関するシステムの動作に係る。この例では、次の段階が実行される。
１．ターミナル２４は、ＵＭＴＳネットワーク及びその無線アクセスサブシステム２０と通信状態で動作している。ターミナル２４のユーザにより非常コール（通常、１１２、９９９又は９１１へのコール）がなされる。
【００２６】
２．このコールは、ＭＳＣ２２へ通され、ＭＳＣは、それを非常コールとして識別する。それ故、ＭＳＣは、そのコールをＰＳＡＰへルーティングし、そこで、オペレータにより応答することができる。コールのルートが図１に経路１で示されている。又、ＭＳＣは、そのコールを発信したターミナル２４の位置を推定するためにポジショニング手順を開始する。ＭＳＣは、ＲＡＮＡＰ  ＬＯＣＡＴＩＯＮ  ＲＥＰＯＲＴＩＮＧ  ＣＯＮＴＲＯＬ（ＲＡＮＡＰ位置報告制御）メッセージを適当なサービングＲＮＣ（無線ネットワークコントローラ）２６へ送信することによりこれを行なう。このメッセージにおけるクライアント形式パラメータが非常サービスを指示する。このメッセージは、図１に経路２で示されている。
【００２７】
３．サービングＲＮＣ２６は、ポジショニング要求メッセージを分析し、そしてそれが非常コールに関連したポジショニング要求であることを決定する。このＲＮＣ２６は、当該ターミナル２４に関連してそれが使用できるポジショニング方法をチェックし、そのターミナルの位置を推定できる精度のレベルを決定し、そしてその予想される精度を、非常ポジショニングに必要な精度（例えば、ＦＣＣ９９−２４５に規定された）と比較する。ＭＳＣは、必要な精度をサービングＲＮＣに通知することができる。
【００２８】
要求を満足できると決定された場合には、ＲＮＣは、ターミナルが非常コールを開始したところのネットワークのサブシステム２０によりターミナルのポジショニングを開始することができる。この状態において、ＲＮＣは、ターミナルの位置の推定でＭＳＣに応答する。
【００２９】
しかしながら、精度は、そのサブシステムの構成により、又はターミナル２４が有している能力のレベルにより制限されることがある。例えば、ターミナルは、サブシステム２４のポジショニング方法をサポートしないことがある。要求が満足されないと決定された場合には、ＲＮＣは、ターミナル２４の位置がおそらくターゲットネットワークのサブシステム２１によりもっと正確に推定されるかどうか予想する。もしそうであれば、他のネットワークへのターミナルのハンドオーバーを開始する。ＲＮＣは、他の条件のもとでハンドオーバーを開始してもよく、例えば、要求の如何に関わらず、ターミナル２４の位置がターゲットネットワークのサブシステム２１によりもっと正確に推定されると決定された場合にハンドオーバーを開始してもよい。
【００３０】
ハンドオーバーが開始された場合には、ＲＮＣは、ユーザ位置の推定でＭＳＣに応答することはしない。その代わり、ＲＮＣは、ターゲットネットワーク（この例では、ＧＳＭネットワーク）へのハンドオーバーを開始する。これは、図１に経路３で示されている。
【００３１】
ハンドオーバー要求は、通常のハンドオーバー要求でよい。しかしながら、ターミナルが最初のネットワークへ直ちに戻るようにハンドオーバーされるべきでないことを示すための情報を要求に含ませるのが効果的である。通常の環境では、ターミナルとの通信条件が、あるネットワークの方が別のネットワークより著しく良好な場合に、システム間ハンドオーバーがトリガーされる。ターミナルとターゲットネットワークとの間の通信条件が、ターミナルと最初のネットワークとの間の通信条件より著しく悪い場合には、現在のハンドオーバーの直後に、ターミナルが最初のネットワークへ戻るようにハンドオーバーされることもあり得る。これは、ターゲットネットワークがポジショニングそれ自体を遂行するのを防止する。それ故、システム間ハンドオーバー要求は、このような状態の発生を禁止するための情報を含むことができる。この情報は、メッセージ、又はメッセージにアタッチされるパラメータの形態で通すことができる。この情報は、ポジショニングが遂行されるまでターミナルが最初のネットワークへ戻るようにハンドオーバーされるべきでないことを指定するか、或いは設定時間周期が経過するまでそれが最初のネットワークへ戻るようにハンドオーバーされるべきでないことを指定することができる。
【００３２】
４．ターミナル２４により開始されたコールがターゲットネットワークへハンドオーバーされ、ターミナルは、今度は、無線アクセスサブシステム２１によりサービスされる。通常そうであるように、ＭＳＣは、システム間ハンドオーバーが生じたことに気付く。ハンドオーバーが生じた後、ＭＳＣは、別のポジショニング要求を今度はＧＳＭ  ＢＳＳ２１へ送信することによりポジショニング手順を再開する。これは、図１に経路４で示されている。個々のポジショニング方法についてのメッセージは、３ＧＰＰ  ＴＳ０３．７１（Ｒｅｌ−９８、Ｒｅｌ−９９）又は３ＧＰＰ  ＴＳ４３．０５９（Ｒｅｌ−４以降）に規定されたように、適当に転送される。この段階は、ポジショニング要求の細部がシステム間ハンドオーバー要求メッセージで搬送される場合には、省略できる。
【００３３】
５．サブシステム２１は、ターミナル２４の位置を推定し、そしてその位置推定をＭＳＣ２２へ返送する。サブシステム２１は、この機能を遂行するためのポジショニング要素を含むことができる。例えば、ＧＳＭシステムの場合には、位置推定がＳＭＬＣ（サービング移動位置センター）により発生され、そしてＵＭＴＳの場合には、関連機能がＲＮＣの機能的要素により与えられる。このメッセージは、図１に経路６で示されている。
【００３４】
６．ＭＳＣ２２は、位置推定をＭＡＰ  ＳＵＢＣＲＩＢＥＲ  ＬＯＣＡＴＩＯＮ  ＲＥＰＯＲＴメッセージにおいてＧＭＬＣへ転送する。これは、図１に経路７で示されている。ＧＭＬＣは、ＰＳＡＰからのその後の位置検索（ＮＣＡＳ  Ｐｕｌｌ）をサポートするために、非常コールに関する初期位置情報及び他の関連情報を記憶する。又、ＧＭＬＣは、位置情報の受信を確認する。
【００３５】
７．ＰＳＡＰは、非常発呼者の初期位置をＧＭＬＣから要求する。これは、図１に経路８で示されている。
８．ＧＭＬＣは、初期位置推定をＰＳＡＰに与える。これは、図１に経路９で示されている。ターミナル２４の推定位置により、ＰＳＡＰのオペレータは、警察や消防や救急車のような非常援助隊をユーザの位置に派遣することができる。
【００３６】
この例では、システム間ハンドオーバーを開始するための判断は、ＵＭＴＳ  ＲＮＣにより行われる。ＵＭＴＳ及びＧＳＭシステムにおける他のネットワークエンティティがこの判断を行うこともできる。不必要なシステム間ハンドオーバーを回避するために、このような判断を行なうユニット（１つ又は複数）は、次の知識を有するものであるのが好ましい。
ａ．どちらのネットワークがポジショニング要求を満足するための候補であるか決定できるように、ネットワーク間のカバレージの重畳の程度；
ｂ．ある能力のターミナルをポジショニングする精度を適切に判断できるように、ネットワークのポジショニング能力（例えば、例えば、どのポジショニングプロトコルをそれらがサポートするか）；及び
ｃ．ターミナルに適合し得るポジショニング方法。
【００３７】
又、これらユニット（１つ又は複数）がポジショニング精度の要求を知ることも望ましい。
どちらのネットワークの方が最良の位置推定を与えるかの評価は、多数のファクタによりトリガーすることができる。上記の例では、これは、ポジショニング要求で受け取られるクライアント形式パラメータによってトリガーされた。別の例では、ポジショニング要求における必要なサービスクオリティ（ＱｏＳ）により評価がトリガーされる。
【００３８】
それとは別に又はそれに加えて、位置推定に基づく情報をＰＳＡＰへ送信するためのネットワーク能力を考慮することもできる。何らかの理由で（例えば、適合しない又は欠陥がある）一方のネットワークが位置推定をＰＳＡＰへ送信できない場合には、上述したように、それを行うことのできる別のネットワークへのハンドオーバーが実行されてもよい。
この解決策は、回路交換（ＣＳ）及びパケット交換（ＰＳ）ドメインに適用することができる。ＰＳドメインでは、上述した形式のシステム間ハンドオーバーに代わって、ネットワーク開始システム間セル再選択が行われる。
【００３９】
上述した解決策は、非常コール以外の状態にも使用することができる。例えば、盗まれたターミナルを探索したり、又は位置が良く分からない人にタクシーを正確に向わせたりするためにも、ターミナルの正確な位置が望まれる。後者の場合には、正確なポジショニングのための割増料金をターミナルのユーザに課するか、又は正確な推定を要求したエンティティ（例えば、タクシー会社）に課することになる。
本発明は、ＵＭＴＳ又はＧＳＭ規格或いはその派生規格に基づいて動作できるシステムにおいて実施されるのが好ましい。しかしながら、本発明は、他のシステムにおいて実施することもでき、セルラー無線電話システムに限定されるものではない。
【００４０】
本システムにおいて１つ以上のネットワークによりサポートできるポジショニング方法は、例えば、次のものを含むが、これらに限定されない。
−  グローバルポジショニングシステム（ＧＰＳ）、或いは他の衛星ベース又は支援型のポジショニングシステム。改善型観察時間差（Ｅ−ＯＴＤ）。
−  到着時間（ＴＯＡ）。
−  タイミング進み（ＴＡ）。
−  ネットワーク支援型ＧＰＳ（Ａ−ＧＰＳ）。
−  観察到着時間差−アイドル周期ダウンリンク（ＯＴＤＯＡ−ＩＰＤＬ）。
−  セルＩＤ。
【００４１】
ＧＳＭのためのこのような方法の標準化は、３ＧＰＰ規格ＴＳ０３．７１の第４．２−４．４章に網羅されている。ＵＭＴＳのためのこのような方法の標準化は、３ＧＰＰ規格ＴＳ２５．３０５の第４．３章に網羅されている。
以上、本出願人は、各個々の特徴及び２つ以上のそのような特徴の組合せを、当業者の共通の一般的な知識に鑑み本明細書に基づいて全体的に実施できる程度に開示した。本出願人は、本発明の態様がこのような個々の特徴又は特徴の組合せで構成されることを示した。以上の説明から、当業者であれば、本発明の範囲内で種々の変更がなされ得ることが明らかであろう。
【図面の簡単な説明】
【００４２】
【図１】２つのネットワークを含むテレコミュニケーションシステムの概略図で、ポジショニングオペレーションを示す図である。
【図１】
2005521350.tif 000003
【国際調査報告】
2005521350.tif 000004
2005521350.tif 000005